(57)【特許請求の範囲】
【請求項１】
パーソナルオーディオデバイスであって、該パーソナルオーディオデバイスは、
パーソナルオーディオデバイス筐体と、
該筐体に設置されているトランスデューサであって、該トランスデューサは、オーディオ信号を再生し、該オーディオ信号は、リスナへの再生のためのソースオーディオ信号と、該トランスデューサの音響出力における周囲のオーディオサウンドの影響を打ち消すためのアンチノイズ信号との両方を含み、該ソースオーディオ信号は、ソースオーディオサウンドを表す、トランスデューサと、
該筐体に設置されている基準マイクロフォンであって、該周囲のオーディオサウンドを示す基準マイクロフォン信号を生成する基準マイクロフォンと、
該トランスデューサの近くにおいて該筐体に設置されているエラーマイクロフォンであって、該トランスデューサの音響出力および該トランスデューサにおける該周囲のオーディオサウンドを示すエラーマイクロフォン信号を生成するエラーマイクロフォンと、
処理回路と
を備え、
該処理回路は、
応答を有する第１の適合的フィルタであって、該第１の適合的フィルタは、該リスナによって聞き取られる該周囲のオーディオサウンドの存在を低減するために該基準信号から該アンチノイズ信号を生成し、該処理回路は、係数制御によって生成される係数に従って該エラーマイクロフォンにおける該周囲のオーディオサウンドを最小化するように該第１の適合的フィルタの応答を適合させることによって、該エラーマイクロフォン信号および該基準マイクロフォン信号に従うように該第１の適合的フィルタの応答を成形し、該係数制御は、該エラーマイクロフォン信号から導出されるエラー信号を受信し、該エラー信号を該基準マイクロフォン信号と相関させることによって該係数を計算し、該係数は、該第１の適合的フィルタの応答内の他の周波数領域に適用されるゲインに対して１つ以上の特定の周波数領域内の該エラー信号に適用されるゲインをそれぞれに増大または減少させることによって、該アンチノイズ信号が該他の周波数領域において該周囲のオーディオサウンドをキャンセルする程度に対して、該アンチノイズ信号が該１つ以上の特定の周波数領域において該周囲のオーディオサウンドをキャンセルする程度を増大または減少させるように調節される、第１の適合的フィルタと、
応答を有する第２の適合的フィルタであって、成形されたソースオーディオ信号を生成する第２の適合的フィルタと、
該エラーマイクロフォン信号から該成形されたソースオーディオ信号を差し引くことにより該エラー信号を生成するコンバイナであって、該コンバイナは、該アンチノイズ信号を生成するときに該第１の適合的フィルタが該ソースオーディオ信号の成分をキャンセルすることを防止するために、該エラーマイクロフォン信号の中に存在する該ソースオーディオ信号の成分をキャンセルし、該処理回路は、該エラーマイクロフォンにおける該ソースオーディオサウンドのキャンセレーションを最小化するように該第２の適合的フィルタの応答を適合させることによって、該ソースオーディオ信号および該エラーマイクロフォン信号に従うように該第２の適合的フィルタの応答を成形する、コンバイナと
を実装する、パーソナルオーディオデバイス。
【請求項２】
前記エラーマイクロフォン信号または前記基準マイクロフォン信号のうちの前記少なくとも１つから導出される信号の周波数応答は、外部音響経路の周波数応答に対して補償するために重み付けされる、請求項１に記載のパーソナルオーディオデバイス。
【請求項３】
前記エラーマイクロフォン信号または前記基準マイクロフォン信号のうちの別の１つから導出される別の信号の位相応答は、該エラーマイクロフォン信号または該基準マイクロフォン信号のうちの前記少なくとも１つから導出される信号の前記重み付けに対して補償するために調節される、請求項２に記載のパーソナルオーディオデバイス。
【請求項４】
前記外部音響チャネルの応答は、１つ以上のマルチパスヌルを有し、前記エラーマイクロフォン信号または前記基準マイクロフォン信号のうちの前記少なくとも１つから導出される信号は、該１つ以上のマルチパスヌルと対応する前記１つ以上の特定の周波数領域における前記第１の適合的フィルタの応答の形状を調節するために重み付けされる、請求項２に記載のパーソナルオーディオデバイス。
【請求項５】
前記重み付けは、前記基準マイクロフォン信号から導出される信号と前記エラーマイクロフォン信号から導出される別の信号とに適用される、請求項１に記載のパーソナルオーディオデバイス。
【請求項６】
等しい重み付けは、前記基準マイクロフォン信号から導出される信号と前記エラーマイクロフォン信号から導出される別の信号とに適用される、請求項５に記載のパーソナルオーディオデバイス。
【請求項７】
前記パーソナルオーディオデバイスは、ダウンリンクオーディオ信号として前記ソースオーディオ信号を受信するためのトランシーバをさらに備えている無線電話機である、請求項１に記載のパーソナルオーディオデバイス。
【請求項８】
パーソナルオーディオデバイスのトランスデューサの近くにおける周囲のオーディオサウンドをキャンセルする方法であって、該方法は、
基準マイクロフォン信号を生成するために、基準マイクロフォンを用いて、周囲のオーディオサウンドの第１の測定を行うことと、
エラーマイクロフォンを用いて、該トランスデューサの出力および該トランスデューサにおける該周囲のオーディオサウンドの第２の測定を行うことと、
該基準マイクロフォンの出力をフィルタリングする第１の適合的フィルタの応答を適合させることによって、該第１の測定および該第２の測定の結果から、該エラーマイクロフォンにおける周囲のオーディオサウンドの影響を最小化するためのアンチノイズ信号を適合的に生成することと、
該アンチノイズ信号をソースオーディオ信号と組み合わせることにより、該トランスデューサに提供されるオーディオ信号を生成することであって、該ソースオーディオ信号は、ソースオーディオサウンドを表す、ことと、
成形されたソースオーディオ信号を生成するために、該ソースオーディオ信号をフィルタリングする第２の適合的フィルタの応答を適合させることによって、該エラーマイクロフォンにおける該ソースオーディオサウンドのキャンセレーションを最小化するように該第２の測定の結果および該ソースオーディオ信号から該成形されたソースオーディオ信号を適合的に生成することと、
該エラーマイクロフォン信号から該成形されたソースオーディオ信号を差し引くことによりエラー信号を生成することであって、該差し引くことは、該アンチノイズ信号を生成するときに該第１の適合的フィルタが該ソースオーディオ信号の成分をキャンセルすることを防止するために、該エラー信号の中に現れる成分から該エラーマイクロフォン信号に存在する該ソースオーディオ信号の成分をキャンセルする、ことと、
該エラー信号をフィルタリングして、１つ以上の特定の周波数領域内の該信号に適用されるゲインを増大または減少させることによって該第１の適合的フィルタの応答内に１つ以上の特定の周波数領域に重み付けすることと、
該フィルタリングすることの結果を該第１の適合的フィルタの係数制御に提供して、該フィルタリングすることの結果を該基準マイクロフォン信号と相関させて係数を生成することによって該第１の適合的フィルタの振幅応答を成形することであって、該係数は、該第１の適合的フィルタの振幅応答を制御し、それにより、該第１の適合的フィルタの応答内の他の周波数領域に適用されるゲインに対して該１つ以上の特定の周波数領域内の該エラー信号に適用されるゲインをそれぞれに増大または減少させることに従って、該係数は、該アンチノイズ信号が該他の周波数領域において該周囲のオーディオサウンドをキャンセルする程度に対して、該アンチノイズ信号が該１つ以上の特定の周波数領域において該周囲のオーディオサウンドをキャンセルする程度を増大または減少させるように調節される、ことと
を含む、方法。
【請求項９】
前記フィルタリングすることは、外部音響経路の周波数応答に対して補償するために、前記エラーマイクロフォン信号または前記基準マイクロフォン信号のうちの前記少なくとも１つから導出される信号の周波数応答に重み付けする、請求項８に記載の方法。
【請求項１０】
前記フィルタリングすることによる前記エラーマイクロフォン信号または前記基準マイクロフォン信号のうちの前記少なくとも１つから導出される信号の前記重み付けに対して補償するために、該エラーマイクロフォン信号または該基準マイクロフォン信号のうちの別の１つから導出される別の信号の位相応答を調節することをさらに含む、請求項９に記載の方法。
【請求項１１】
前記外部音響チャネルの応答は、１つ以上のマルチパスヌルを有し、前記フィルタリングすることは、該１つ以上のマルチパスヌルと対応する前記１つ以上の特定の周波数領域における前記第１の適合的フィルタの応答の形状を調節するために、前記エラーマイクロフォン信号または前記基準マイクロフォン信号のうちの前記少なくとも１つから導出される信号に重み付けする、請求項９に記載の方法。
【請求項１２】
前記フィルタリングすることは、前記基準マイクロフォン信号から導出される信号と前記エラーマイクロフォン信号から導出される別の信号とに前記重み付けを適用する、請求項８に記載の方法。
【請求項１３】
前記フィルタリングすることは、前記基準マイクロフォン信号から導出される信号と前記エラーマイクロフォン信号から導出される別の信号とに等しい重み付けを適用する、請求項１２に記載の方法。
【請求項１４】
前記パーソナルオーディオデバイスは、無線電話機であり、前記方法は、ダウンリンクオーディオ信号として前記ソースオーディオ信号を受信することをさらに含む、請求項８に記載の方法。
【請求項１５】
パーソナルオーディオデバイスの少なくとも一部分を実装するための集積回路であって、該集積回路は、
リスナへの再生のためのソースオーディオ信号と、トランスデューサの音響出力における周囲のオーディオサウンドの影響を打ち消すためのアンチノイズ信号との両方を含む信号を該トランスデューサに提供するための出力部であって、該ソースオーディオ信号は、ソースオーディオサウンドを表す、出力部と、
該周囲のオーディオサウンドを示す基準マイクロフォン信号を受信するための基準マイクロフォン入力部と、
該トランスデューサの出力および該トランスデューサにおける該周囲のオーディオサウンドを示すエラーマイクロフォン信号を受信するためのエラーマイクロフォン入力部と、
処理回路と
を備え、
該処理回路は、
応答を有する第１の適合的フィルタであって、該第１の適合的フィルタは、該リスナによって聞き取られる該周囲のオーディオサウンドの存在を低減するために該基準信号から該アンチノイズ信号を生成し、該処理回路は、係数制御によって生成される係数に従って該エラーマイクロフォンにおける該周囲のオーディオサウンドを最小化するように該第１の適合的フィルタの応答を適合させることによって、該エラーマイクロフォン信号および該基準マイクロフォン信号に従うように該第１の適合的フィルタの応答を成形し、該係数制御は、該エラーマイクロフォン信号から導出されるエラー信号を受信し、該エラー信号を該基準マイクロフォン信号と相関させることによって該係数を計算し、該係数は、該第１の適合的フィルタの応答内の他の周波数領域に適用されるゲインに対して１つ以上の特定の周波数領域内の該エラー信号に適用されるゲインをそれぞれに増大または減少させることによって、該アンチノイズ信号が該他の周波数領域において該周囲のオーディオサウンドをキャンセルする程度に対して、該アンチノイズ信号が該１つ以上の特定の周波数領域において該周囲のオーディオサウンドをキャンセルする程度を増大または減少させるように調節される、第１の適合的フィルタと、
応答を有する第２の適合的フィルタであって、成形されたソースオーディオ信号を生成する第２の適合的フィルタと、
該エラーマイクロフォン信号から該成形されたソースオーディオ信号を差し引くことにより該エラー信号を生成するコンバイナであって、該コンバイナは、該アンチノイズ信号を生成するときに該第１の適合的フィルタが該ソースオーディオ信号の成分をキャンセルすることを防止するために、該エラーマイクロフォン信号の中に存在する該ソースオーディオ信号の成分をキャンセルし、該処理回路は、該エラーマイクロフォンにおける該ソースオーディオサウンドのキャンセレーションを最小化するように該第２の適合的フィルタの応答を適合させることによって、該ソースオーディオ信号および該エラーマイクロフォン信号に従うように該第２の適合的フィルタの応答を成形する、コンバイナと
を実装する、集積回路。
【請求項１６】
前記エラーマイクロフォン信号または前記基準マイクロフォン信号のうちの前記少なくとも１つから導出される信号の周波数応答は、外部音響経路の周波数応答に対して補償するために重み付けされる、請求項１５に記載の集積回路。
【請求項１７】
前記エラーマイクロフォン信号または前記基準マイクロフォン信号のうちの別の１つから導出される別の信号の位相応答は、該エラーマイクロフォン信号または該基準マイクロフォン信号のうちの前記少なくとも１つから導出される信号の前記重み付けに対して補償するために調節される、請求項１６に記載の集積回路。
【請求項１８】
前記外部音響チャネルの応答は、１つ以上のマルチパスヌルを有し、前記エラーマイクロフォン信号または前記基準マイクロフォン信号のうちの前記少なくとも１つから導出される信号は、該１つ以上のマルチパスヌルと対応する１つ以上の第１の特定の周波数領域における前記第１の適合的フィルタの応答の形状を調節するために重み付けされる、請求項１６に記載の集積回路。
【請求項１９】
前記重み付けは、前記基準マイクロフォン信号から導出される信号と前記エラーマイクロフォン信号から導出される別の信号とに適用される、請求項１５に記載の集積回路。
【請求項２０】
等しい重み付けは、前記基準マイクロフォン信号から導出される信号と前記エラーマイクロフォン信号から導出される別の信号とに適用される、請求項１９に記載の集積回路。
【発明の詳細な説明】
【技術分野】
【０００１】
（発明の分野）
本発明は、概して、ノイズキャンセレーションを含む、例えば、無線電話機のようなパーソナルオーディオデバイスに関し、より詳細には、アンチノイズ信号が、１つ以上の適合入力をフィルタリングすることによってバイアスされるパーソナルオーディオデバイスに関する。
【背景技術】
【０００２】
（発明の背景）
無線電話機（例えば、移動／携帯電話）、コードレス電話、および、他の消費者オーディオデバイス（例えばＭＰ３プレイヤおよびヘッドフォンまたはイアバッド（ｅａｒｂｕｄｓ））が、広く用いられている。了解度に関するそのようなデバイスの性能は、周囲の音響イベントを測定するためにマイクロフォンを用い、次に、周囲の音響イベントをキャンセルするためにデバイスの出力の中にアンチノイズ信号を挿入するために信号処理を用い、ノイズキャンセリングを提供することによって改善されることができる。
【０００３】
アンチノイズ信号は、音響環境における変化を考慮する適合的フィルタを用いて生成されることができる。しかし、適合的ノイズキャンセリングは、他の周波数におけるノイズまたは他の音響イベントの振幅を低下させるように作用する適合的フィルタにより、特定の周波数において明白なノイズの増大を引き起こし得、これは、パーソナルオーディオデバイスにおける望ましくない動作を生じ得る。
【０００４】
従って、変わりやすい音響環境においてノイズキャンセレーションを提供し、かつ、ある周波数においては明白なノイズを低減する一方、他の周波数帯域においては明白なノイズを増大させることに関連する問題を回避することのできる、無線電話機を含むパーソナルオーディオデバイスを提供することが望ましい。
【発明の概要】
【課題を解決するための手段】
【０００５】
変わりやすい音響環境においてノイズキャンセレーションを提供するパーソナルオーディオデバイスを提供する上述の目的は、パーソナルオーディオデバイス、動作の方法、および集積回路において達成される。方法は、パーソナルオーディオデバイスおよび集積回路の動作の方法であり、集積回路は、パーソナルオーディオデバイス内に組み込まれることができる。
【０００６】
パーソナルオーディオデバイスは、筐体を含み、トランスデューサが、オーディオ信号を再生するために筐体に設置され、このオーディオ信号は、リスナへの再生のためのソースオーディオ（ｓｏｕｒｃｅ  ａｕｄｉｏ）と、トランスデューサの音響出力における周囲のオーディオサウンドの影響を打ち消すためのアンチノイズ信号との両方を含む。基準マイクロフォンが、周囲のオーディオサウンドを示す基準マイクロフォン信号を提供するために、筐体に設置されている。パーソナルオーディオデバイスは、基準マイクロフォン信号からアンチノイズ信号を適合的に生成するための適合的ノイズキャンセリング（ＡＮＣ）処理回路を筐体内にさらに含む。エラーマイクロフォンが、周囲のオーディオサウンドをキャンセルするためにアンチノイズ信号の適合を制御するため、および、処理回路の出力からトランスデューサまで通る電子音響経路に対して修正するために含まれている。アンチノイズ信号は、周囲のオーディオサウンドが、エラーマイクロフォンにおいて最小化されるように生成される。基準マイクロフォン信号および／またはエラーマイクロフォン信号のうちの１つまたは両方は、１つ以上の周波数領域に重み付けすることにより、該１つ以上の周波数領域における周囲のオーディオサウンドの最小化の程度を変更するために、フィルタリングされる。
【０００７】
添付の図面に例示されているとおり、本発明の前述の目的、特徴、および利点、ならびに、他の目的、特徴、および利点は、本発明の好ましい実施形態の以下のより詳細な説明から明らかとなる。
本願明細書は、例えば、以下の項目も提供する。
（項目１）
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力および該トランスデューサにおける該周囲のオーディオサウンドを示すエラーマイクロフォン信号を提供するために、該トランスデューサの近くにおいて該筐体に設置されている、エラーマイクロフォンと、
応答を有する適合的フィルタを実装する処理回路であって、該応答は、該基準信号から、該リスナによって聞き取られる該周囲のオーディオサウンドの存在を低減するための該アンチノイズ信号を生成する、処理回路と
を備え、該処理回路は、該エラーマイクロフォンにおける該周囲のオーディオサウンドを最小化するために、該適合的フィルタの応答を適合させることによって、該エラーマイクロフォン信号および該基準マイクロフォン信号に従い、該適合的フィルタの応答を成形し、該エラーマイクロフォン信号または基準マイクロフォン信号のうちの少なくとも１つは、フィルタリングされることにより、１つ以上の第１の特定の周波数領域に重み付けし、それによって、該適合的フィルタの応答は、該第１の特定の周波数領域における該周囲のオーディオサウンドの最小化の程度を変更するようにバイアスされる、
パーソナルオーディオデバイス。
（項目２）
前記エラーマイクロフォン信号または基準マイクロフォン信号のうちの前記少なくとも１つの周波数応答は、外部音響チャネルの周波数応答に対して補償するために重み付けされる、項目１に記載のパーソナルオーディオデバイス。
（項目３）
前記エラーマイクロフォン信号または基準マイクロフォン信号のうちの別の１つの位相応答は、前記エラーマイクロフォン信号または基準マイクロフォン信号のうちの前記少なくとも１つの前記重み付けに対して補償するために調節される、項目２に記載のパーソナルオーディオデバイス。
（項目４）
前記外部音響チャネルの応答は、１つ以上のマルチパスヌルを有し、前記エラーマイクロフォン信号または基準マイクロフォン信号のうちの前記少なくとも１つは、該１つ以上のマルチパスヌルと対応する前記１つ以上の第２の周波数領域における前記適合的フィルタの応答の形状を調節するために重み付けされる、項目２に記載のパーソナルオーディオデバイス。
（項目５）
前記重み付けは、前記基準マイクロフォン信号と前記エラーマイクロフォン信号との両方に対して適用される、項目１に記載のパーソナルオーディオデバイス。
（項目６）
等しい重み付けが、前記基準マイクロフォン信号と前記エラーマイクロフォン信号との両方に対して適用される、項目４に記載のパーソナルオーディオデバイス。
（項目７）
前記パーソナルオーディオデバイスは、ダウンリンクオーディオ信号として前記ソースオーディオを受信するためのトランシーバをさらに備えている無線電話機である、項目１に記載のパーソナルオーディオデバイス。
（項目８）
パーソナルオーディオデバイスのトランスデューサの近くにおける周囲のオーディオサウンドをキャンセルする方法であって、該方法は、
基準マイクロフォン信号を生成するために、基準マイクロフォンを用いて、該周囲のオーディオサウンドの第１の測定を行うことと、
エラーマイクロフォンを用いて、該トランスデューサの出力および該トランスデューサにおける周囲のオーディオサウンドの第２の測定を行うことと、
該基準マイクロフォンの出力をフィルタリングする適合的フィルタの応答を適合させることにより、該第１の測定および該第２の測定の結果から、該エラーマイクロフォンにおける周囲のオーディオサウンドの影響を最小化するためのアンチノイズ信号を適合的に生成することと、
該アンチノイズ信号をソースオーディオ信号と組み合わせることにより、該トランスデューサに提供されるオーディオ信号を生成することと、
該エラーマイクロフォン信号または基準マイクロフォン信号のうちの少なくとも１つをフィルタリングすることにより、１つ以上の第１の特定の周波数領域に重み付けし、それによって、該適合的フィルタの応答は、該第１の特定の周波数領域における該周囲のオーディオサウンドの最小化の程度を変更するようにバイアスされることと
を含む、方法。
（項目９）
前記フィルタリングすることは、外部音響チャネルの周波数応答に対して補償するために、前記エラーマイクロフォン信号または基準マイクロフォン信号のうちの前記少なくとも１つの周波数応答に重み付けする、項目８に記載の方法。
（項目１０）
前記フィルタリングすることによる前記エラーマイクロフォン信号または基準マイクロフォン信号のうちの前記少なくとも１つの前記重み付けに対して補償するために、該エラーマイクロフォン信号または基準マイクロフォン信号のうちの別の１つの位相応答を調節することをさらに含む、項目９に記載の方法。
（項目１１）
前記外部音響チャネルの応答は、１つ以上のマルチパスヌルを有し、前記フィルタリングすることは、該１つ以上のマルチパスヌルと対応する前記１つ以上の第２の周波数領域における適合的フィルタの応答の形状を調節するために、前記エラーマイクロフォン信号または基準マイクロフォン信号のうちの前記少なくとも１つに重み付けする、項目９に記載の方法。
（項目１２）
前記フィルタリングすることは、前記基準マイクロフォン信号と前記エラーマイクロフォン信号との両方に対して前記重み付けを適用する、項目８に記載の方法。
（項目１３）
前記フィルタリングすることは、前記基準マイクロフォン信号と前記エラーマイクロフォン信号との両方に対して等しい重み付けを適用する、項目１２に記載の方法。
（項目１４）
前記パーソナルオーディオデバイスは、無線電話機であり、前記方法は、ダウンリンクオーディオ信号として前記ソースオーディオを受信することをさらに含む、項目８に記載の方法。
（項目１５）
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの出力および該トランスデューサにおける該周囲のオーディオサウンドを示すエラーマイクロフォン信号を受信するためのエラーマイクロフォン入力部と、
応答を有する適合的フィルタを実装する処理回路であって、該応答は、該基準信号から、該リスナによって聞き取られる該周囲のオーディオサウンドの存在を低減するための該アンチノイズ信号を生成する、処理回路と
を備え、該処理回路は、該エラーマイクロフォン信号における該周囲のオーディオサウンドを最小化するために、該適合的フィルタの応答を適合させることによって、該エラーマイクロフォン信号および該基準マイクロフォン信号に従い、該適合的フィルタの応答を成形し、該エラーマイクロフォン信号または基準マイクロフォン信号のうちの少なくとも１つは、フィルタリングされることにより、１つ以上の第１の特定の周波数領域に重み付けし、それによって、該適合的フィルタの応答は、該第１の特定の周波数領域における該周囲のオーディオサウンドの最小化の程度を変更するようにバイアスされる、
集積回路。
（項目１６）
前記エラーマイクロフォン信号または基準マイクロフォン信号のうちの前記少なくとも１つの周波数応答は、外部音響チャネルの周波数応答に対して補償するために重み付けされる、項目１５に記載の集積回路。
（項目１７）
前記エラーマイクロフォン信号または基準マイクロフォン信号のうちの別の１つの位相応答は、前記エラーマイクロフォン信号または基準マイクロフォン信号のうちの前記少なくとも１つの前記重み付けに対して補償するために調節される、項目１６に記載の集積回路。
（項目１８）
前記外部音響チャネルの応答は、１つ以上のマルチパスヌルを有し、前記エラーマイクロフォン信号または基準マイクロフォン信号のうちの前記少なくとも１つは、該１つ以上のマルチパスヌルと対応する前記１つ以上の第２の周波数領域における前記適合的フィルタの応答の形状を調節するために重み付けされる、項目１６に記載の集積回路。
（項目１９）
前記重み付けは、前記基準マイクロフォン信号と前記エラーマイクロフォン信号との両方に対して適用される、項目１５に記載の集積回路。
（項目２０）
等しい重み付けが、前記基準マイクロフォン信号と前記エラーマイクロフォン信号との両方に対して適用される、項目１８に記載の集積回路。
【図面の簡単な説明】
【０００８】
【図１】図１は、本発明の実施形態による無線電話機１０の例示である。
【図２】図２は、本発明の実施形態による無線電話機１０内の回路のブロック図である。
【図３】図３は、本発明の実施形態による、図２のＣＯＤＥＣ集積回路２０のＡＮＣ回路３０内の信号処理回路および機能ブロックを描いているブロック図である。
【図４】図４は、本発明の実施形態による、集積回路内の信号処理回路および機能ブロックを描いているブロック図である。
【発明を実施するための形態】
【０００９】
（本発明を実行するための最良のモード）
本発明は、例えば無線電話機のようなパーソナルオーディオデバイスにおいて実装されることができるノイズキャンセリング技術および回路を包含する。パーソナルオーディオデバイスは、適合的ノイズキャンセリング（ＡＮＣ）回路を含み、適合的ノイズキャンセリング（ＡＮＣ）回路は、周囲の音響環境を測定し、周囲の音響イベントをキャンセルするためにスピーカ（または他のトランスデューサ）出力の中に注入される適合的アンチノイズ信号を生成する。基準マイクロフォンが、周囲の音響環境を測定するために提供され、エラーマイクロフォンが、周囲の音響イベントをキャンセルするためのアンチノイズ信号の適合を制御するために、および、ＡＮＣ回路の出力からスピーカまで通る電子音響経路の推定を提供するために含まれる。適合的フィルタは、適合的フィルタを用いて基準マイクロフォン信号からアンチノイズ信号を生成することによって、エラーマイクロフォン信号における周囲の音響イベントを最小化する。適合的フィルタの係数制御入力は、基準マイクロフォン信号およびエラーマイクロフォン信号によって提供される。適合的フィルタの係数制御入力部に提供される基準マイクロフォン信号とエラーマイクロフォン信号とのうちの１つまたは両方をフィルタリングすることにより、エラーマイクロフォン信号における周囲の音響イベントの最小化を変更することによって、ＡＮＣ処理回路は、基準マイクロフォン信号の特定の周波数をブースト（ｂｏｏｓｔ）することによるその周波数におけるノイズの増大を回避する。最小化を変更することによって、特定の周波数のブースティングは防止されることができる。
【００１０】
ここで図１を参照すると、無線電話機１０が、本発明の実施形態に従って例示され、ヒトの耳５の近くに示されている。例示されている無線電話機１０は、本発明の実施形態による技術が使用され得るデバイスの例であるが、しかし、例示されている無線電話機１０において、またはこれ以降の図に描かれている回路において具現化されている要素もしくは構成のうちの全てが、請求項に記載されている本発明を実行するために必要とされるわけではないことが理解される。無線電話機１０は、例えばスピーカＳＰＫＲのようなトランスデューサを含み、スピーカＳＰＫＲは、バランスの取れた会話認知を提供するための他のローカルオーディオイベント（例えば、呼び出し音、格納されたオーディオプログラム材料、近端音声（すなわち、無線電話機１０のユーザの音声）の注入）と共に、無線電話機１０によって受け取られた遠い音声、ならびに、無線電話機１０による再生を必要とする他のオーディオ（例えば、無線電話機１０によって受け取られたウェブページまたは他のネットワーク通信からのソース（ｓｏｕｒｃｅ）、ならびに、例えばバッテリ電力低下および他のシステムイベント通知のようなオーディオ指示）を再生する。近い音声マイクロフォンＮＳが、近端音声を捕捉するために提供され、この近端音声は、無線電話機１０から他の会話参加者（複数可）に伝達される。
【００１１】
無線電話機１０は、適合的ノイズキャンセリング（ＡＮＣ）回路および機能を含み、適合的ノイズキャンセリング（ＡＮＣ）回路および機能は、アンチノイズ信号をスピーカＳＰＫＲの中に注入し、遠い音声およびスピーカＳＰＫＲによって再生される他のオーディオの了解度を向上させる。基準マイクロフォンＲが、周囲の音響環境を測定するために提供され、基準マイクロフォンＲは、ユーザの口の通常の位置から離して位置決めされ、その結果、近端音声は、基準マイクロフォンＲによって生成される信号において最小化される。無線電話機１０が耳５の近くにある場合、エラーマイクロフォン基準位置ＥＲＰにおいて、耳５の近くのスピーカＳＰＫＲによって再生されたオーディオと組み合わされた周囲のオーディオの尺度を提供することによりＡＮＣ動作をさらに向上させるために、第３のマイクロフォン、すなわちエラーマイクロフォンＥが提供されている。無線電話機１０内の例示的回路１４は、オーディオＣＯＤＥＣ集積回路２０を含み、オーディオＣＯＤＥＣ集積回路２０は、基準マイクロフォンＲ、近い音声マイクロフォンＮＳ、およびエラーマイクロフォンＥから信号を受信する。オーディオＣＯＤＥＣ集積回路２０は、他の集積回路（例えば、無線電話機トランシーバを含むＲＦ集積回路１２）と接続する。本発明の他の実施形態において、本明細書に開示されている回路および技術は、単一の集積回路の中に組み込まれ得、この単一の集積回路は、パーソナルオーディオデバイス（例えば、ＭＰ３プレイヤオンチップ（ｐｌａｙｅｒ−ｏｎ−ａ−ｃｈｉｐ）集積回路）全体を実装するための制御回路および他の機能性を含む。
【００１２】
一般的に、本発明のＡＮＣ技術は、基準マイクロフォンＲに衝突する周囲の音響イベント（スピーカＳＰＫＲの出力および／または近端音声と対立するものとしての）を測定し、そして、例示されている無線電話機１０のＡＮＣ処理回路は、エラーマイクロフォンＥに衝突する同じ周囲の音響イベントも測定することにより、基準マイクロフォンＲの出力から生成されるアンチノイズ信号が、エラーマイクロフォンＥにおける（すなわち、エラーマイクロフォン基準位置ＥＲＰにおける）周囲の音響イベントの振幅を最小化する特性を有するように、基準マイクロフォンＲの出力から生成されるアンチノイズ信号を適合させる。音響経路Ｐ（ｚ）は、基準マイクロフォンＲからエラーマイクロフォンＥまで延びているので、ＡＮＣ回路は、電子音響経路Ｓ（ｚ）の除去効果と組み合わされた音響経路Ｐ（ｚ）を本質的に推定しており、電子音響経路Ｓ（ｚ）は、特定の音響環境におけるスピーカＳＰＫＲとエラーマイクロフォンＥとの間の結合を含み、ＣＯＤＥＣ  ＩＣ  ２０のオーディオ出力回路の応答、および、スピーカＳＰＫＲの音響／電気伝達関数を表しており、スピーカＳＰＫＲとエラーマイクロフォンＥとの間の結合は、耳５の近さおよび構造、ならびに、無線電話機が耳５にしっかりと押圧されていない場合、無線電話機１０の近くにあり得る他の物体およびヒトの頭の構造によって影響される。無線電話機１０のユーザは、実際には、鼓膜基準位置ＤＲＰにおけるスピーカＳＰＫＲの出力を聞くので、エラーマイクロフォンＥによって生成される信号と、ユーザによって実際に聞き取られるものとの間の差は、外耳道の応答、および、エラーマイクロフォン基準位置ＥＲＰと鼓膜基準位置ＤＲＰとの間の空間的距離によって成形される。より高い周波数において、空間的差異は、ＡＮＣシステムの効果を低減するマルチパスヌル（ｍｕｌｔｉ−ｐａｔｈ  ｎｕｌｌ）につながり、幾つかの場合において、空間的差異は、周囲のノイズを増大し得る。例示されている無線電話機１０は、第３の近い音声マイクロフォンＮＳを有する２マイクロフォンのＡＮＣシステムを含むが、本発明の一部の局面は、別個のエラーマイクロフォンおよび基準マイクロフォンを含まないシステムにおいて実行され得るか、または、無線電話機は、基準マイクロフォンＲの機能を実行するために近い音声マイクロフォンＮＳを用いる。さらに、オーディオ再生のためにのみ設計されているパーソナルオーディオデバイスにおいては、近い音声マイクロフォンＮＳは一般的に含まれず、以下にさらに詳細に記述されている回路における近い音声信号経路は、本発明の範囲を変更することなく省略されることができる。
【００１３】
ここで図２を参照すると、無線電話機１０内の回路が、ブロック図において示されている。ＣＯＤＥＣ集積回路（ＩＣ）２０は、基準マイクロフォン信号を受信し、基準マイクロフォン信号のデジタル表現ｒｅｆを生成するためのアナログデジタル変換器（ＡＤＣ）２１Ａと、エラーマイクロフォン信号を受信し、エラーマイクロフォン信号のデジタル表現ｅｒｒを生成するためのＡＤＣ２１Ｂと、近い音声マイクロフォン信号を受信し、近い音声マイクロフォン信号のデジタル表現ｎｓを生成するためのＡＤＣ２１Ｃとを含む。ＣＯＤＥＣ  ＩＣ  ２０は、スピーカＳＰＫＲを駆動するための出力を増幅器Ａ１から生成し、増幅器Ａ１は、コンバイナ２６の出力を受信するデジタルアナログ変換器（ＤＡＣ）２３の出力を増幅する。コンバイナ２６は、内部オーディオソース２４からのオーディオ信号ｉａと、ＡＮＣ回路３０によって生成されるアンチノイズ信号であって、該アンチノイズ信号は、慣例上、基準マイクロフォン信号ｒｅｆにおけるノイズと同じ極性を有し、従って、コンバイナ２６によって差し引かれる、アンチノイズ信号と、無線電話機１０のユーザが、ダウンリンク音声ｄｓとの適切な関連で彼ら自身の声を聞くようにするためのものである、近い音声マイクロフォン信号ｎｓの一部分とを組み合わせ、ダウンリンク音声ｄｓは、無線周波数（ＲＦ）集積回路２２から受信され、コンバイナ２６によって同じく組み合わされる。近い音声マイクロフォン信号ｎｓは、ＲＦ集積回路２２にも提供され、アップリンク音声としてサービスプロバイダにアンテナＡＮＴを介して送信される。
【００１４】
ここで図３を参照すると、図２のＡＮＣ回路３０の詳細が、本発明の実施形態に従って示されている。適合的フィルタ３２は、基準マイクロフォン信号ｒｅｆを受信し、適合的フィルタ３２は、理想的な状況の下で、その伝達関数Ｗ（ｚ）をＰ（ｚ）／Ｓ（ｚ）となるように適合してアンチノイズ信号を生成する。適合的フィルタ３２の係数は、Ｗ係数制御ブロック３１によって制御され、Ｗ係数制御ブロック３１は、２つの信号の相関関係を用いて適合的フィルタ３２の応答を決定し、適合的フィルタ３２は、一般的に、最小二乗平均の意味で、エラーマイクロフォン信号ｅｒｒの中に存在する、基準マイクロフォン信号ｒｅｆの成分を最小化する。Ｗ係数制御ブロック３１への入力として提供される信号は、フィルタ３４Ｂによって提供される経路Ｓ（ｚ）の応答の推定のコピーによって成形された基準マイクロフォン信号ｒｅｆと、エラーマイクロフォン信号ｅｒｒを含む、コンバイナ３６の出力から提供される別の信号とである。基準マイクロフォン信号ｒｅｆを経路Ｓ（ｚ）の応答の推定のコピー、ＳＥＣＯＰＹ（ｚ）によって変形し、基準マイクロフォン信号ｒｅｆの成分と相互に関係するエラー信号の部分を最小化することによって、適合的フィルタ３２は、所望の応答のＰ（ｚ）／Ｓ（ｚ）に適合する。以下にさらに詳細に説明されるように、応答Ｃｘ（ｚ）を有するフィルタ３７Ａが、フィルタ３４Ｂの出力を処理し、Ｗ係数制御ブロック３１に第１の入力を提供する。Ｗ係数制御ブロック３１への第２の入力は、Ｃｅ（ｚ）の応答を有する別のフィルタ３７Ｂによって処理される。応答Ｃｅ（ｚ）は、フィルタ３７Ａの応答Ｃｘ（ｚ）と整合している位相応答を有する。フィルタ３７Ｂへの入力は、エラーマイクロフォン信号ｅｒｒと、フィルタ３４Ａのフィルタ応答ＳＥ（ｚ）（応答ＳＥＣＯＰＹ（ｚ）は、そのコピーである）によって処理されたダウンリンクオーディオ信号ｄｓの反転された量とを含む。コンバイナ３６は、エラーマイクロフォン信号ｅｒｒと、反転されたウンリンクオーディオ信号ｄｓとを組み合わせる。ダウンリンクオーディオ信号ｄｓの反転された量を注入することによって、適合的フィルタ３２が、エラーマイクロフォン信号ｅｒｒに存在するダウンリンクオーディオの比較的大きな量に適合することが防止され、ダウンリンクオーディオ信号ｄｓの反転されたコピーを経路Ｓ（ｚ）の応答の推定を用いて変形することによって、比較の前にエラーマイクロフォン信号ｅｒｒから除去されるダウンリンクオーディオは、エラーマイクロフォン信号ｅｒｒで再生されるダウンリンクオーディオ信号ｄｓの予期されるバージョン（ｖｅｒｓｉｏｎ）と整合するはずである。なぜなら、Ｓ（ｚ）の電気的および音響的経路は、エラーマイクロフォンＥに到達するために、ダウンリンクオーディオ信号ｄｓによって取られる経路であるからである。
【００１５】
上記を実行するために、適合的フィルタ３４Ａは、ＳＥ係数制御ブロック３３によって制御される係数を有し、ＳＥ係数制御ブロック３３は、ダウンリンクオーディオ信号ｄｓとエラー値との相互関連された成分に基づいて更新する。エラー値は、上述のフィルタリングされたダウンリンクオーディオ信号ｄｓの除去後のエラーマイクロフォン信号ｅｒｒを表し、このフィルタリングされたダウンリンクオーディオ信号ｄｓは、適合的フィルタ３４Ａによって既にフィルタリングされており、エラーマイクロフォンＥに送達される予期されるダウンリンクオーディオを表す。ダウンリンクオーディオ信号ｄｓのフィルタリングされたバージョンは、コンバイナ３６によって適合的フィルタ３４Ａの出力から除去される。ＳＥ係数制御ブロック３３は、実際のダウンリンク音声信号ｄｓをエラーマイクロフォン信号ｅｒｒに存在するダウンリンクオーディオ信号ｄｓの成分と関連づける。それによって、適合的フィルタ３４Ａは、エラーマイクロフォン信号ｅｒｒから差し引かれる場合、ダウンリンクオーディオ信号ｄｓに起因しないエラーマイクロフォン信号ｅｒｒの内容を含む信号をダウンリンクオーディオ信号ｄｓから生成するように適合される。
【００１６】
特定の状況の下で、適合的フィルタ３２から提供されるアンチノイズ信号は、他の周波数における周囲のサウンドに起因して、特定の周波数においてより多くのエネルギーを含み得る。なぜなら、Ｗ係数制御ブロック３１が、適合的フィルタ３２の他の領域の周波数応答のゲインが上昇することを可能にしながら、より高エネルギーの信号を抑制するように適合的フィルタ３２の周波数応答を調節したからであり、他の領域の周波数応答における周囲のノイズのブースト、または「ノイズブースト（ｎｏｉｓｅ  ｂｏｏｓｔ）」につながったからである。特に、基準マイクロフォンＲとエラーマイクロフォンＥとの間の外部音響経路の応答Ｐ（ｚ）は、一般的に、無線電話機の幾何学的形状が、サウンドの波長に対して重要となる周波数において、１つ以上のマルチパスヌルを含むであろう。マルチパスヌルにより、エラーマイクロフォン信号ｅｒｒは、ヌルの周波数において基準マイクロフォン信号ｒｅｆと相互に関連するエネルギーを含まないので、ＷＡＤＡＰＴ（ｚ）の応答は、そのような周波数における励起の欠如により、ディープヌル（ｄｅｅｐ  ｎｕｌｌ）をモデル化しない。なぜなら、Ｗ係数制御ブロック３１は、基準マイクロフォン信号ｒｅｆの中に存在する成分に対するエラーマイクロフォン信号ｅｒｒの平均的エネルギーを低減するように作用するからである。特に、ノイズブーストは、係数制御ブロック３１が、経路Ｐ（ｚ）におけるマルチパスヌルが一般的に生じるより高い周波数範囲（例えば、２ｋＨｚと５ｋＨｚとの間）においてより高エネルギーの信号を抑制するように適合的フィルタ３２の周波数応答を調節する場合に問題となる。従って、フィルタ３７Ａの応答Ｃｘ（ｚ）の振幅部分、フィルタ３７Ｂの応答Ｃｅ（ｚ）の振幅部分、または両方は、係数制御ブロック３１が１つ以上の特定の周波数範囲または特定の別個の周波数においてノイズをブーストすることを防止するように調整されている。特定の周波数においてフィルタ３７Ａおよび／またはフィルタ３７Ｂのゲインを上げることは、アンチノイズ信号が、その周波数において周囲のオーディオをキャンセルしようと試みる程度を増大させる効果を有し、一方、特定の周波数においてフィルタ３７Ａおよび／またはフィルタ３７Ｂのゲインを下げることは、アンチノイズ信号が、その周波数において周囲のオーディオをキャンセルしようと試みる程度を低減する。Ｗ係数制御部３１の出力における安定性を保存するために、フィルタ３７Ａおよび３７Ｂのうちのどちらが上述のノイズブースト状態を防止または制限するように調整されている振幅応答を有するかに関わりなく、フィルタ３７Ｂの応答Ｃｅ（ｚ）は、フィルタ３７Ａの応答Ｃｘ（ｚ）の位相応答と整合させられた位相応答を有する。
【００１７】
ここで図４を参照すると、ＣＯＤＥＣ集積回路２０内で実行され得る、図３に例示されている本発明の実施形態によるＡＮＣ技術を例示するために、ＡＮＣシステムのブロック図が示されている。基準マイクロフォン信号ｒｅｆは、デルタ−シグマＡＤＣ４１Ａによって生成され、デルタ−シグマＡＤＣ４１Ａは、６４倍オーバサンプリングで動作し、その出力は、デシメータ４２Ａにより２の因数によってデシメートされ、３２倍オーバサンプリングされた信号を生成する。シグマ−デルタシェーパ４３Ａが、基準マイクロフォン信号ｒｅｆを量子化するために用いられ、これは、後続の処理ステージ（例えば、フィルタステージ４４Ａおよび４４Ｂ）の幅を低減する。フィルタステージ４４Ａおよび４４Ｂは、オーバサンプリングされたレートで動作しているので、シグマ−デルタシェーパ４３Ａは、結果として生じる量子化ノイズを、量子化ノイズが破壊を引き起こさない周波数帯域（例えば、スピーカＳＰＫＲの周波数応答範囲の外側）、または、回路網の他の部分が量子化ノイズを通さない周波数帯域の中で成形することができる。フィルタステージ４４Ｂは、固定応答ＷＦＩＸＥＤ（ｚ）を有し、固定応答ＷＦＩＸＥＤ（ｚ）は、一般的に、通常のユーザ用の無線電話機１０の特定の設計のためのＰ（ｚ）／Ｓ（ｚ）の推定における開始点を提供するために予め決定されている。Ｐ（ｚ）／Ｓ（ｚ）の推定の応答の適合的部分ＷＡＤＡＰＴ（ｚ）は、適合的フィルタステージ４４Ａによって提供され、適合的フィルタステージ４４Ａは、リーキー（ｌｅａｋｙ）最小二乗平均（ＬＭＳ）型の係数コントローラ５４Ａによって制御される。エラー入力が提供されない場合、応答は、フラットな応答または所定の応答に経時的に正常化することによりリーキーＬＭＳ係数コントローラ５４Ａを適合させるという点で、リーキーＬＭＳ係数コントローラ５４Ａは、リーキーである。リーキーなコントローラを提供することは、特定の環境条件の下で生じ得る長期にわたる不安定性を防止し、一般的に、ＡＮＣ応答の特定の感知性に対してシステムをよりロバストにする。
【００１８】
図２〜図３のシステムにおいてそうであったように、図４に描かれているシステムにおいて、基準マイクロフォン信号は、経路Ｓ（ｚ）の応答の推定のコピー、ＳＥＣＯＰＹ（ｚ）によって、すなわち、応答ＳＥＣＯＰＹ（ｚ）を有するフィルタ５１によってフィルタリングされ、その出力は、デシメータ５２Ａにより３２の因数によってデシメートされ、ベースバンドオーディオ信号を生成し、このベースバンドオーディオ信号は、無限インパルス応答（ＩＩＲ）フィルタ５３Ａを通して、リーキーＬＭＳ５４Ａに提供される。エラーマイクロフォン信号ｅｒｒは、デルタ−シグマＡＤＣ４１Ｃによって生成され、デルタ−シグマＡＤＣ４１Ｃは、６４倍オーバサンプリングで動作し、その出力は、デシメータ４２Ｂにより２の因数によってデシメートされ、３２倍オーバサンプリングされた信号を生成する。図３のシステムにおいてそうであってように、応答Ｓ（ｚ）を適用するために適合的フィルタによってフィルタリングされたある量のダウンリンクオーディオｄｓは、コンバイナ４６Ｃによってエラーマイクロフォン信号ｅｒｒから除去され、コンバイナ４６Ｃの出力は、デシメータ５２Ｃにより３２の因数によってデシメートされ、ベースバンドオーディオ信号を生成し、このベースバンドオーディオ信号は、無限インパルス応答（ＩＩＲ）フィルタ５３Ｂを通して、リーキーＬＭＳ５４Ａに提供される。無限インパルス応答（ＩＩＲ）フィルタ５３Ａおよび５３Ｂは、図３におけるフィルタ３７Ａおよび３７Ｂと対応し、従って、整合された位相応答を有し、フィルタ３７Ａおよび３７Ｂのうちの１つまたは両方は、１つ以上の特定の周波数または周波数帯域を減衰または増幅することによってノイズブーストを防止するように調整された振幅応答を有し、それによって、リーキーＬＭＳ５４Ａによって決定される係数は、これら特定の周波数または帯域においてノイズをブーストしない。例えば、ＩＩＲフィルタ５３Ａは、約２．５ｋＨｚでノイズブーストを防止するために、２．５ｋＨｚにおけるシングルピーク（ｓｉｎｇｌｅ  ｐｅａｋ）を含み得、ＩＩＲフィルタ５３Ｂは、フラットな振幅応答ではあるが、しかし、ＩＩＲフィルタ５３Ａのフィルタ応答と整合している位相応答を有し得る。
【００１９】
応答Ｓ（ｚ）は、別の並列の一組のフィルタステージ５５Ａおよび５５Ｂによって生成され、そのうちの一方、フィルタステージ５５Ｂは、固定応答ＳＥＦＩＸＥＤ（ｚ）を有し、そのうちの他方、フィルタステージ５５Ａは、適合的応答ＳＥＡＤＡＰＴ（ｚ）を有し、適合的応答ＳＥＡＤＡＰＴ（ｚ）は、リーキーＬＭＳ係数コントローラ５４Ｂによって制御される。フィルタステージ５５Ａおよび５５Ｂの出力は、コンバイナ４６Ｅによって組み合わされる。上述のフィルタ応答Ｗ（ｚ）の実装と同様に、応答ＳＥＦＩＸＥＤ（ｚ）は、一般的に、電気的／音響的経路Ｓ（ｚ）に対する様々な動作条件の下での適切な開始点を提供するために既知である所定の応答である。図４のシステムにおいて、別個の制御値が、フィルタ５１を制御するために提供され、フィルタ５１は、単一のフィルタステージとして示されている。しかし、フィルタ５１は、代替として、２つの並列のステージを用いて実装され得、適合的フィルタステージ５５Ａを制御するために用いられる同じ制御値が、フィルタ５１の実装における適合的ステージを制御するために用いられ得る。リーキーＬＭＳ制御ブロック５４Ｂへの入力も、ベースバンドにおけるものであり、該入力は、コンバイナ４６Ｈによって生成されたダウンリンクオーディオ信号ｄｓと内部オーディオｉａとの組み合わせを、３２の因数によってデシメートするデシメータ５２Ｂによりデシメートすることによって提供され、該入力は、コンバイナ４６Ｃが、適合的フィルタステージ５５Ａとフィルタステージ５５Ｂとの組み合わされた出力から生成された信号を除去した後に該提供され、この組み合わされた出力は、別のコンバイナ４６Ｅによって組み合わされている。コンバイナ４６Ｃの出力は、ダウンリンクオーディオ信号ｄｓに起因する成分が除去されたエラーマイクロフォン信号ｅｒｒを表し、コンバイナ４６Ｃの出力は、デシメータ５２Ｃによるデシメーションの後にＬＭＳ制御ブロック５４Ｂに提供される。ＬＭＳ制御ブロック５４Ｂへの他の入力は、デシメータ５２Ｂによって生成されるベースバンド信号である。
【００２０】
ベースバンドおよびオーバサンプリングされた信号伝達の上述の構成は、オーバサンプリングされたレートで適合的フィルタステージ４４Ａ〜４４Ｂ、５５Ａ〜５５Ｂ、および適合的フィルタ５１を実装することにより与えられるタップ（ｔａｐ）柔軟性を提供しながら、単純化された制御、および、適合的制御ブロック（例えば、リーキーＬＭＳコントローラ５４Ａおよび５４Ｂ）において消費される低減された電力を提供する。図４のシステムの残りは、コンバイナ４６Ｈを含み、コンバイナ４６Ｈは、ダウンリンクオーディオｄｓを内部オーディオｉａと組み合わせ、コンバイナ４６Ｈの出力は、コンバイナ４６Ｄの入力部に提供され、コンバイナ４６Ｄは、電話での会話中においてユーザの声の正しい認知を提供するために、シグマ−デルタＡＤＣ４１Ｂによって生成され、側音減衰器５６によってフィルタリングされた近端マイクロフォン信号ｎｓの一部分を加える。コンバイナ４６Ｄの出力は、フィルタステージ５５Ａおよび５５Ｂが有意な応答を有する帯域の外へイメージをシフトするように成形されている入力をフィルタステージ５５Ａおよび５５Ｂに提供するシグマ−デルタシェーパ４３Ｂによって成形される。
【００２１】
本発明の実施形態に従って、コンバイナ４６Ｄの出力は、適合的フィルタステージ４４Ａ〜４４Ｂの出力とも組み合わされるが、この適合的フィルタステージ４４Ａ〜４４Ｂの出力は、フィルタステージの各々に対して対応するハードミュートブロック（ｈａｒｄ  ｍｕｔｅ  ｂｌｏｃｋ）４５Ａ、４５Ｂと、ハードミュートブロック４５Ａ、４５Ｂの出力を組み合わせるコンバイナ４６Ａと、ソフトミュート４７と、次のソフトリミッタ４８とを含む制御チェーンによって処理されてアンチノイズ信号を生成し、このアンチノイズ信号は、コンバイナ４６Ｄのソースオーディオ出力を用いてコンバイナ４６Ｂによって差し引かれる。コンバイナ４６Ｂの出力は、補間器４９により２の因数によって挿入が行われ、次に、６４ｘオーバサンプリングレートで操作されるシグマ−デルタＤＡＣ５０によって再生される。ＤＡＣ５０の出力は、増幅器Ａ１に提供され、増幅器Ａ１は、スピーカＳＰＫＲに送達される信号を生成する。
【００２２】
図４のシステムならびに図２および図３の例示的回路における要素の各々または一部は、論理で直接的に実装されることができるか、または、例えば、演算（例えば、適合的フィルタリングおよびＬＭＳ係数計算）を行うプログラム命令を実行するデジタル信号処理（ＤＳＰ）コアのようなプロセッサによって実装されることができる。ＤＡＣおよびＡＤＣステージは、一般的に、専用の混合性信号回路で実装される一方、本発明のＡＮＣシステムのアーキテクチャは、一般的に、ハイブリッドアプローチに適しており、このハイブリッドアプローチにおいて、論理は、例えば、高度にオーバサンプリングされた設計の区分において用いられ得、一方、プログラムコードまたはマイクロコード駆動処理要素は、より複雑ではあるが、しかし、より低速の演算（例えば、適合的フィルタに対するタップを計算すること）のために選択される。
【００２３】
本発明は、特に、その好ましい実施形態を参照して示され、記述されたが、しかし、前記およびその他は、形態において変化すること、および、本発明の精神および範囲から逸脱することなく細部が、前記およびその他において決められ得ることが当業者によって理解される。
【図１】
0006050336.tif 000002
【図２】
0006050336.tif 000003
【図３】
0006050336.tif 000004
【図４】
0006050336.tif 000005